(57)【要約】      （修正有）【課題】貯湯給湯装置において、柱状の垂直フレームを部分的に取り外し可能な構造とすることで、配管接続部での作業効率を向上可能なもの、等を提供すること。【解決手段】貯湯給湯装置１は、複数の垂直フレーム１１とこれら垂直フレーム１１を連結する複数の水平フレーム１２とを有するフレーム部材６と外面を覆う外板７とで構成された外装ケース５と、この外装ケース５に収納されたタンクユニット２とを備え、タンクユニット２の下部に、外部熱源機を含む外部機器側の配管に接続される配管接続部１５が外部開放状に設けられ、垂直フレーム１１の配管接続部１５に対応する下部は、取り外し可能な支柱部材２２で構成され、支柱部材２２には、配管接続部１５を覆う為の配管カバー１８を取り付け可能な取付部が設けられている。【選択図】図２
2015025573.tif 000002
【特許請求の範囲】
【請求項１】
複数の垂直フレームとこれら垂直フレームを連結する複数の水平フレームとを有するフレーム部材と外面を覆う外板とで構成された外装ケースと、この外装ケースに収納されたタンクユニットとを備えた貯湯給湯装置において、
前記タンクユニットの下部に、外部熱源機を含む外部機器側の配管に接続される配管接続部が外部開放状に設けられ、
前記垂直フレームの前記配管接続部に対応する下部は、取り外し可能な支柱部材で構成されたことを特徴とする貯湯給湯装置。
【請求項２】
前記支柱部材には、前記配管接続部を覆う為の配管カバーを取り付け可能な取付部が設けられたことを特徴とする請求項１に記載の貯湯給湯装置。
【発明の詳細な説明】
【技術分野】
【０００１】
本発明は貯湯給湯装置に関し、特に外部熱源機によって貯湯タンク内の湯水を加熱するものに関する。
【背景技術】
【０００２】
従来から、高温水を生成して貯湯し、所望の給湯先に供給可能な貯湯給湯装置が実用に供されている。この種の貯湯給湯装置は、湯水を貯留する為の貯湯タンクを備えたタンクユニットと、貯湯タンク内の湯水を加熱する為の外部熱源機と、タンクユニットと外部熱源機とを接続する湯水循環回路等を備えている。
【０００３】
上記のタンクユニットは、貯湯タンク、補助熱源機、給水通路、給湯通路、湯水循環回路等を備え、これら大部分は外装ケース内に一体的に収納されている。タンクユニットの下部には、外部熱源機を含む外部機器側の配管に接続される配管接続部が外部開放状に設けられている。この配管接続部は、外装ケースに着脱可能な配管カバーで覆われている場合が多い。
【０００４】
例えば、特許文献１の貯湯式給湯機の配管カバーにおいては、複数の化粧板と、これら化粧板を外装ケースに固定する為の複数の支柱とを備え、配管カバーで配管接続部を覆う場合、複数の支柱板の上端部を外装ケースの内側下部に挿入して複数のビスを介して固定し、支柱の下側部分に化粧板を複数のビスを介して固定することで、外装ケースに配管カバーを取り付ける構造が開示されている。
【０００５】
ところで、上記の特許文献１の貯湯式給湯機を含む一般的な貯湯タンクを備えた貯湯給湯装置では、外装ケースは小型なものが望ましいので、配管接続金具が設置された配管接続部は狭くなり、配管接続部には貯湯タンクを覆う為の外板を固定するフレーム部材は設置されていない場合が多いが、貯湯タンクに加えて補助熱源機等の補助的な装置を備えた貯湯給湯装置では、外装ケースが大型化するので、配管接続部にフレーム部材の柱状の垂直フレームが設置される場合がある。
【先行技術文献】
【特許文献】
【０００６】
【特許文献１】特開２０１０−１１２５８７号公報
【発明の概要】
【発明が解決しようとする課題】
【０００７】
しかし、上述したように、タンクユニットの下部において配管接続部に垂直フレームが設置されると、外部機器側の外部配管をタンクユニット側の内部配管に接続する配管作業を行う場合、垂直フレームがユーザーの作業の邪魔になってしまい、配管作業や配管カバーの取付作業に手間がかかるので、作業効率が悪化するという問題がある。
【０００８】
本発明の目的は、貯湯給湯装置において、柱状の垂直フレームを部分的に取り外し可能な構造とすることで、配管接続部での作業効率を向上可能なもの、等を提供することである。
【課題を解決するための手段】
【０００９】
請求項１の貯湯給湯装置は、複数の垂直フレームとこれら垂直フレームを連結する複数の水平フレームとを有するフレーム部材と外面を覆う外板とで構成された外装ケースと、この外装ケースに収納されたタンクユニットとを備えた貯湯給湯装置において、前記タンクユニットの下部に、外部熱源機を含む外部機器側の配管に接続される配管接続部が外部開放状に設けられ、前記垂直フレームの前記配管接続部に対応する下部は、取り外し可能な支柱部材で構成されたことを特徴としている。
【００１０】
請求項２の貯湯給湯装置は、請求項１の発明において、前記支柱部材には、前記配管接続部を覆う為の配管カバーを取り付け可能な取付部が設けられたことを特徴としている。
【発明の効果】
【００１１】
請求項１の発明によれば、タンクユニットの下部に、外部熱源機を含む外部機器側の配管に接続される配管接続部が外部開放状に設けられ、垂直フレームの配管接続部に対応する下部は、取り外し可能な支柱部材で構成されたので、外部熱源機を含む外部機器側の配管を配管接続部に接続する配管作業を行う場合、支柱部材を取り外して配管作業を行うことができる。
【００１２】
従って、配管作業時に支柱部材を一時的に取り外して配管接続部を拡大可能であるので、メンテナンス時や施工時における配管作業が容易になり、配管接続部での作業効率が向上する。配管作業の終了後に外装ケースに支柱部材を取り付けることで、外装ケースの剛性を確保することができる。
【００１３】
請求項２の発明によれば、支柱部材には、配管接続部を覆う為の配管カバーを取り付け可能な取付部が設けられたので、必要に応じて支柱部材に配管カバーを取り付けることができる。
【図面の簡単な説明】
【００１４】
【図１】本発明の実施例に係る貯湯給湯装置の概略構成図である。
【図２】タンクユニットの斜視図である。
【図３】配管カバーを取り付けた状態のタンクユニットの下部の側面図である。
【図４】配管カバーを取り外した状態のタンクユニットの下部の側面図である。
【図５】上側フレームと支柱部材との接続部分の断面図である。
【図６】上側フレームと支柱部材との接続部分の分解斜視図である。
【発明を実施するための形態】
【００１５】
以下、本発明を実施するための形態について実施例に基づいて説明する。
【実施例】
【００１６】
先ずは、本発明の貯湯給湯装置１の全体構成について説明する。
図１に示すように、貯湯給湯装置１は、貯湯、給湯、温水暖房、追い焚き等の機能を有するものであり、湯水を貯留可能な貯湯タンク（図示略）を備えたタンクユニット２、貯湯タンク内の湯水を加熱する為の外部熱源機３、タンクユニット２と外部熱源機３とを接続する湯水循環回路４等を備えている。
【００１７】
タンクユニット２は、例えば、貯湯タンク、補助熱源機、給水通路、給湯通路、湯水循環回路４等を備え、これら大部分は外装ケース５内に一体的に収納されている。尚、外部熱源機３としては、ヒートポンプ式熱源機や燃料電池発電ユニットの排熱回収熱交換器等が活用される。
【００１８】
次に、外装ケース５について説明する。
図２に示すように、外装ケース５は、フレーム部材６と、このフレーム部材６に装着され且つ外面を覆う外板７とを備え、フレーム部材６と外板７とから平面視長方形状の直方体に構成されている。外板７は、前面板７ａ、左側面板７ｂ、右側面板７ｃ、後面板７ｄ、天面板７ｅ等を備えている。
【００１９】
フレーム部材６は、タンクユニット２の外周側近傍部の四隅部に立設され且つ縦方向に延びる複数の垂直フレーム１１と、これら垂直フレーム１１を連結し且つ横方向に延びる複数の水平フレーム１２とを有している。複数の水平フレーム１２のうちの最下端部の１対の水平フレーム１２ａ，１２ｂは、１対の支持脚としてアンカーボルトで土台に固定される。
【００２０】
タンクユニット２の下部であって外装ケース５の前側下部には、仕切り板１４で区画され且つ外部熱源機３を含む外部機器側の配管に接続される外部開放状の配管接続部１５（段差凹み部）が設けられている。仕切り板１４は、上壁部１４ａと奥壁部１４ｂとから側面視逆Ｌ字状に構成されている。配管接続部１５には、各種の配管の外部配管と内部配管とを接続する為の複数の配管接続金具１６が設置されている。
【００２１】
図２に示すように、配管カバー１８が、配管接続部１５を覆うように外装ケース５に着脱自在に取り付けられる。即ち、この配管カバー１８は、前側板部１８ａと右側板部１８ｂとから平面視Ｌ字状に構成され、配管接続部１５の前方と右方とを覆うように外装ケース５に取り付け可能である。
【００２２】
次に、本発明に係る複数の垂直フレーム１１の下部構造について説明する。
図３〜図６に示すように、複数の垂直フレーム１１のうちの前側左右の垂直フレーム１１ａ，１１ｂにおいて、配管接続部１５に対応する下部は、取り外し可能な支柱部材２２で夫々構成されている。即ち、垂直フレーム１１ａ，１１ｂは、縦長の上側フレーム２１と、この上側フレーム２１の下端部に連なり且つ上側フレーム２１の全長の例えば約１／３程度の長さの支柱部材２２とを夫々備えている。
【００２３】
次に、支柱部材２２について説明するが、左右の垂直フレーム１１ａ，１１ｂの支柱部材２２は夫々同様な構造であるので、以下では右側の支柱部材２２について説明する。
図５，図６に示すように、支柱部材２２は、内側（左方）に向かって開口したコ字状板部２２ａと、このコ字状板部２２ａの幅方向の両端部に形成された１対のフランジ板部２２ｂとを備え、外側（右方）に向かって僅かに突出した断面ハット形に構成されている。支柱部材２２は、タンクユニット２の下部の配管接続部１５に配置され、配管接続部１５の上下方向の長さと略同じ長さを有している。
【００２４】
図４に示すように、支柱部材２２には、配管接続部１５を覆う為の配管カバー１８を取り付け可能な取付部２３が設けられている。即ち、取付部２３は、コ字状板部２２ａの途中部に上下方向に間隔をあけて形成された１対のビス孔２３ａと、配管カバー１８の裏面が当接されるコ字状板部２２ａの外表面や１対のフランジ板部２２ｂの外表面等から構成されている。尚、取付部２３は、１対のビス孔２３ａを備えているが、１又は２以上の複数のビス孔を備えた構造であって良い。
【００２５】
次に、支柱部材２２の固定構造について説明する。
図３〜図６に示すように、上側フレーム２１の下端部に配管接続部１５側に突出した下端取付板部２１ａを設け、この下端取付板部２１ａを１対のフランジ板部２２ｂ間であってコ字状板部２２ａの開口部に挿入し、この下端取付板部２１ａと支柱部材２２の上端部とを重ね合わせた状態で、支柱部材２２の上端部を複数のビス２４を介して上側フレーム２１に固定する。支柱部材２２の下端部は、複数のビス２５を介して水平フレーム１２ａ，１２ｂの前端側近傍部の縦板部に固定されている。
【００２６】
次に、配管カバー１８の固定構造について説明する。
図２，図３に示すように、配管カバー１８の右側板部１８ｂの上端部には１対の爪部１８ｃが設けられ、この１対の爪部１８ｃを外板７の右側面板７ｃの下端部裏面側に下方から挿入して係合し、右側板部１８ｂの下端部を、右側の水平フレーム１２ｂに設置された１対の固定金具２６に複数のビス２７を介して固定し、右側板部１８ｂの前端部の裏面側を支柱部材２２のコ字状板部２２ａの外表面に当接して複数のビス２８を介して支柱部材２２に固定することで、右側板部１８ｂを外装ケース５に固定可能である。尚、配管カバー１８の固定構造は、ほんの一例を示したに過ぎず、種々の固定構造を適用可能である。
【００２７】
次に、本発明の貯湯給湯装置１の作用及び効果について説明する。
外部熱源機３を含む外部機器側の外部配管（例えば、湯水循環回路４の外部配管）を配管接続金具１６に接続する場合、先ずは、配管カバー１８を外装ケース５から取り外し、次に、垂直フレーム１１ｂの支柱部材２２の上下両端部のビス２４，２５の締結を解除し、支柱部材２２を外装ケース５から取り外す。このとき、支柱部材２２が取り外されることで、配管接続部１５が拡大する。
【００２８】
次に、拡大された配管接続部１５の配管接続金具１６に、外部配管を接続する。次に、支柱部材２２を外装ケース５に取り付ける為に、支柱部材２２の上端部を、上側フレーム２１の下端取付板部２１ａに複数のビス２４を介して固定し、支柱部材２２の下端部を、水平フレーム１２ｂに複数のビス２５を介して固定する。そして、配管カバー１８を外装ケース５に取り付けて作業を終了する。
【００２９】
以上説明したように、タンクユニット２の下部に、外部熱源機３を含む外部機器側の配管に接続される配管接続部１５が外部開放状に設けられ、垂直フレーム１１ａ，１１ｂの配管接続部１５に対応する下部は、取り外し可能な支柱部材２２で構成されたので、外部熱源機３を含む外部機器側の配管を配管接続部１５に接続する配管作業を行う場合、支柱部材２２を取り外して配管作業を行うことができる。
【００３０】
従って、配管作業時に支柱部材２２を一時的に取り外して配管接続部１５を拡大可能であるので、メンテナンス時や施工時における配管作業が容易になり、配管接続部１５での作業効率が向上する。配管作業の終了後に外装ケース５に支柱部材２２を取り付けることで、外装ケース５の剛性を確保することができる。
【００３１】
また、支柱部材２２には、配管接続部１５を覆う為の配管カバー１８を取り付け可能な取付部２３が設けられたので、必要に応じて支柱部材２２に配管カバー１８を取り付けることができる。
【００３２】
次に、前記実施例を部分的に変更した形態について説明する。
［１］前記実施例において、支柱部材２２は、断面ハット形に構成されているが、この構造はほんの一例を示したに過ぎず、適宜変更可能である。また、上側フレーム２１も支柱部材２２と同じ断面ハット形に構成されているが、特にこの構造に限定する必要はない。
【００３３】
［２］前記実施例において、支柱部材２２の上端部は、複数のビス２４を介して上側フレーム２１の下端部に固定され、支柱部材２２の下端部は、複数のビス２５を介して水平フレーム１２に固定されているが、特にビス固定に限定する必要はなく、嵌合構造やピン締結等、垂直フレーム１１から支柱部材２２を取り外し可能な構造であれば、適宜変更可能である。
【００３４】
［３］前記実施例において、配管カバー１８を平面視Ｌ字形に構成しているが、この構造に限定する必要はなく、配管接続部１５の前方と左方と右方を覆うように配管カバー１８を平面視コ字形に構成しても良いし、配管カバー１８を省略しても良い。
【００３５】
［４］前記実施例において、支柱部材２２は、前側左右の垂直フレーム１１ａ，１１ｂの下部を夫々構成しているが、特にこの構造に限定する必要はなく、支柱部材２２が、垂直フレーム１１の配管接続部１５に対応する下部を構成するものであれば、支柱部材２２を備える垂直フレーム１１の数や設置位置は特に限定する必要はない。
【００３６】
［５］その他、当業者であれば、本発明の趣旨を逸脱することなく、前記実施例に種々の変更を付加した形態で実施可能であり、本発明はそのような変更形態を包含するものである。
【符号の説明】
【００３７】
１      貯湯給湯装置
２      タンクユニット
３      外部熱源機
５      外装ケース
６      フレーム部材
７      外板
１１    垂直フレーム
１２    水平フレーム
１５    配管接続部
１８    配管カバー
２２    支柱部材
２３    取付部
【図１】
2015025573.tif 000003
【図２】
2015025573.tif 000004
【図３】
2015025573.tif 000005
【図４】
2015025573.tif 000006
【図５】
2015025573.tif 000007
【図６】
2015025573.tif 000008